(57)【要約】【解決手段】  方法であって、色転写曲線のセットを受信する工程と、複数の画素スタックを有するデジタル画像ファイルを受信する工程と、前記デジタル画像ファイル内の各画素スタックについて、前記画素スタックの初期パーセントドット値を識別し、中間色と、シアンと、マゼンタと、黄色と、赤と、緑と、青とを含む７つの色グループのそれぞれに対する前記画素スタックの関連度を決定し、各初期パーセントドット値について、各色転写曲線の曲線調整値を決定し、前記色転写曲線の前記曲線調整値を前記初期パーセントドット値に適用し、色補正パーセントドット値を生成し、前記初期パーセントドット値を色補正パーセントドット値で置換する工程とを有する方法を開示している。上記の工程は、前記デジタル画像ファイル内のすべての画素スタックが処理されるまで反復される。【選択図】      図２
2008527858.tif 000002
【特許請求の範囲】
【請求項１】
方法であって、
色転写曲線のセットを受信する工程と、
複数の画素スタックを有するデジタル画像ファイルを受信する工程と、
前記デジタル画像ファイル内の各画素スタックについて、
前記画素スタックの初期パーセントドット値を識別する工程と、
中間色と、シアンと、マゼンタと、黄色と、赤と、緑と、青とを含む７つの色グループのそれぞれに対する前記画素スタックの関連度を決定する工程と、
各初期パーセントドット値について、各色転写曲線の曲線調整値を決定する工程と、
前記色転写曲線の前記曲線調整値を前記初期パーセントドット値に適用し、色補正パーセントドット値を生成する工程と、
前記初期パーセントドット値を前記色補正パーセントドット値で置換する工程と、
前記デジタル画像ファイル内のすべての画素スタックが処理されるまで、上記の工程を反復する工程と
を有する方法。
【請求項２】
請求項１記載の方法において、前記色転写曲線のセットを受信する工程は、７つの色補正係数調整値と、１つのグローバル色補正係数調整値とを受信する工程とを有するものである。
【請求項３】
請求項２記載の方法において、前記７つの色補正係数調整値を受信する工程は、７つの色グループ、すなわち中間色と、シアンと、マゼンタと、黄色と、赤と、緑と、青とのそれぞれに関する色補正係数調整値を受信する工程を有するものである。
【請求項４】
請求項１記載の方法において、前記デジタル画像ファイルを受信する工程は、ベクトルグラフィックデジタル画像ファイルを受信する工程を有するものである。
【請求項５】
請求項１記載の方法において、前記色転写曲線のセットを受信する工程は、選択された制御設定点における色補正係数調整値のセットを受信する工程を有するものである。
【請求項６】
請求項１記載の方法において、この方法は、さらに、
前記デジタル画像ファイル内の画素スタックデータを、８ビットコードからパーセントドット値に変換する工程
を有するものである。
【請求項７】
請求項１記載の方法において、前記曲線調整値を決定する工程は、前記初期パーセントドット値に最も近い前記色転写曲線内の制御設定点から補間を行う工程を有するものである。
【請求項８】
請求項１記載の方法において、前記曲線調整値を決定する工程は、前記７つの色グループに対する前記関連度に従って前記曲線調整値を調節する工程を有するものである。
【請求項９】
請求項１記載の方法において、前記関連度を決定する工程は、前記７つの色グループに対する前記画素スタックの合計関連度を１００％に決定する工程を有するものである。
【請求項１０】
請求項１記載の方法において、前記関連度を決定する工程は、前記色グループに対する当該関連度の決定から得られた明度属性を無視する工程を有するものである。
【請求項１１】
請求項１記載の方法において、前記関連度を決定する工程は、前記７つの色グループに対する当該関連度の決定にＣＭＹ初期パーセントドット値を利用する工程を有するものである。
【請求項１２】
請求項１記載の方法において、前記赤色グループに対する関連度を決定する工程は、シアン基底部をゼロに設定し、マゼンタ基底部および黄色基底部をそれぞれ１００％に設定する工程を有するものである。
【請求項１３】
請求項１記載の方法において、前記黄色グループに対する関連度を決定する工程は、シアン基底部およびマゼンタ基底部をそれぞれゼロに設定し、黄色基底部を１００％に設定する工程を有するものである。
【請求項１４】
請求項１記載の方法において、前記緑色グループに対する関連度を決定する工程は、シアン基底部および黄色基底部をそれぞれ１００％に設定し、マゼンタ基底部をゼロに設定する工程を有するものである。
【請求項１５】
請求項１記載の方法において、前記シアン色グループに対する関連度を決定する工程は、シアン基底部を１００％に設定し、マゼンタ基底部および黄色基底部をそれぞれゼロに設定する工程を有するものである。
【請求項１６】
請求項１記載の方法において、前記青色グループに対する関連度を決定する工程は、シアン基底部およびマゼンタ基底部をそれぞれ１００％に設定し、黄色基底部をゼロに設定する工程を有するものである。
【請求項１７】
請求項１記載の方法において、前記マゼンタ色グループに対する関連度を決定する工程は、シアン基底部および黄色基底部をそれぞれゼロに設定し、マゼンタ基底部を１００％に設定する工程を有するものである。
【請求項１８】
請求項１記載の方法において、前記中間色グループに対する関連度を決定する工程は、シアン基底部と、黄色基底部と、マゼンタ基底部とを１００％に設定する工程を有するものである。
【請求項１９】
請求項１記載の方法において、この方法は、さらに、
装置間の色制御にこの方法を使用する工程を有するものである。
【請求項２０】
請求項１記載の方法において、この方法は、さらに、
色画像のデジタル化にこの方法を使用する工程を有するものである。
【請求項２１】
請求項１記載の方法において、この方法は、さらに、
デジタル化された色画像の編集にこの方法を使用する工程を有するものである。
【請求項２２】
請求項１記載の方法において、この方法は、さらに、
前記曲線調整値を組み合わせる工程と、その組み合わせた曲線調整値を前記初期パーセントドット値に適用する工程とを有するものである。
【請求項２３】
請求項２２記載の方法において、前記曲線調整値を組み合わせる工程は、前記色転写曲線のセットの前記曲線調整値を合計する工程を有するものである。
【請求項２４】
方法であって、
７つの色グループに関する７つの色補正係数調整値と、１つのグローバル色補正係数調整値とを受信する工程と、
複数の画素スタックを有するデジタル画像ファイルを受信する工程であって、各画素スタックはシアンと、マゼンタと、黄色と、黒とに関する４つの初期パーセントドット値をそれぞれ有するものである、前記デジタル画像ファイルを受信する工程と、
前記デジタル画像ファイル内の各画素スタックについて、
中間色と、シアンと、マゼンタと、黄色と、赤と、緑と、青とを含む７つの色グループのそれぞれに対する前記画素スタックの共通度を決定する工程と、
各色グループに関する曲線調整と、前記画素スタックの各初期パーセントドット値に関する前記グローバル色補正係数調整値とを決定する工程と、
７つの色グループすべてに関する前記曲線調整を、前記初期パーセントドット値に適用する工程と、
前記初期パーセントドット値を色補正パーセントドット値で置換する工程と、
前記デジタル画像ファイル内のすべての画素スタックが処理されるまで、上記の工程を反復する工程と
を有する方法。
【請求項２５】
請求項２４記載の方法において、前記７つの色補正係数調整値を受信する工程は、７つの色グループ、すなわち中間色と、シアンと、マゼンタと、黄色と、赤と、緑と、青とのそれぞれに関する色補正係数調整値を受信する工程を有するものである。
【請求項２６】
請求項２４記載の方法において、前記デジタル画像ファイルを受信する工程は、ベクトルグラフィックデジタル画像ファイルを受信する工程を有するものである。
【請求項２７】
請求項２４記載の方法において、前記７つの色補正係数調整値と、１つのグローバル色補正係数調整値とを受信する工程は、選択された制御設定点における色補正係数調整値を受信する工程を有するものである。
【請求項２８】
請求項２４記載の方法において、この方法は、さらに、
前記デジタル画像ファイル内の画素スタックデータを、８ビットコードからパーセントドット値に変換する工程を有するものである。
【請求項２９】
請求項２８記載の方法において、前記曲線調整値を決定する工程は、前記初期パーセントドット値に最も近い前記制御設定点から補間を行う工程を有するものである。
【請求項３０】
請求項２４記載の方法において、前記曲線調整値を決定する工程は、前記７つの色グループに対する前記共通度に従って前記曲線調整値を調節する工程を有するものである。
【請求項３１】
請求項２４記載の方法において、７つの色グループのそれぞれに対する前記画素スタックの共通度を決定する工程は、前記７つの色グループのうち１つ〜３つに対し非ゼロの共通度を決定する工程を有するものである。
【請求項３２】
請求項２４記載の方法において、７つの色グループのそれぞれに対する前記画素スタックの共通度を決定する工程は、前記７つの色グループのうち１つ〜３つに対し、合計が１００％になる非ゼロの共通度を決定する工程を有するものである。
【請求項３３】
請求項２４記載の方法において、前記関連度を決定する工程は、前記７つの色グループに対する前記画素スタックの合計関連度を１００％に決定する工程を有するものである。
【請求項３４】
請求項２４記載の方法において、前記関連度を決定する工程は、前記色グループに対する当該関連度の決定から得られた明度属性をゼロにする工程を有するものである。
【請求項３５】
請求項２４記載の方法において、前記関連度を決定する工程は、前記７つの色グループに対する当該関連度の決定にＣＭＹ初期パーセントドット値を利用する工程を有するものである。
【請求項３６】
請求項２４記載の方法において、前記赤色グループに対する関連度を決定する工程は、シアン基底部をゼロに設定し、マゼンタ基底部および黄色基底部をそれぞれ１００％に設定する工程を有するものである。
【請求項３７】
請求項２４記載の方法において、前記黄色グループに対する関連度を決定する工程は、シアン基底部およびマゼンタ基底部をそれぞれゼロに設定し、黄色基底部を１００％に設定する工程を有するものである。
【請求項３８】
請求項２４記載の方法において、前記緑色グループに対する関連度を決定する工程は、シアン基底部および黄色基底部をそれぞれ１００％に設定し、マゼンタ基底部をゼロに設定する工程を有するものである。
【請求項３９】
請求項２４記載の方法において、前記シアン色グループに対する関連度を決定する工程は、シアン基底部を１００％に設定し、マゼンタ基底部および黄色基底部をそれぞれゼロに設定する工程を有するものである。
【請求項４０】
請求項２４記載の方法において、前記青色グループに対する関連度を決定する工程は、シアン基底部およびマゼンタ基底部をそれぞれ１００％に設定し、黄色基底部をゼロに設定する工程を有するものである。
【請求項４１】
請求項２４記載の方法において、前記マゼンタ色グループに対する関連度を決定する工程は、シアン基底部および黄色基底部をそれぞれゼロに設定し、マゼンタ基底部を１００％に設定する工程を有するものである。
【請求項４２】
請求項２４記載の方法において、前記中間色グループに対する関連度を決定する工程は、シアン基底部と、黄色基底部と、マゼンタ基底部とを１００％に設定する工程を有するものである。
【請求項４３】
請求項２４記載の方法において、この方法は、さらに、
装置間の色調整にこの方法を使用する工程を有するものである。
【請求項４４】
請求項２４記載の方法において、この方法は、色画像のデジタル化にこの方法を使用する工程をさらに有するものである。
【請求項４５】
請求項２４記載の方法において、この方法は、さらに、
デジタル化された色画像の編集にこの方法を使用する工程を有するものである。
【請求項４６】
請求項２４記載の方法において、この方法は、さらに、
前記７つの色グループすべての前記曲線調整値と、前記グローバル色補正係数調整とを組み合わせる工程を有するものである。
【請求項４７】
請求項４６記載の方法において、さらに、
前記曲線調整値を組み合わせる工程は、前記７つの色グループすべての前記曲線調整値と、前記グローバル色補正係数調整値とを組み合わせる工程を有するものである。
【請求項４８】
方法であって、
複数の色転写曲線のセットを受信する工程と、
少なくとも１つの色見本を有するデジタル画像ファイルを受信する工程と、
前記デジタル画像ファイル内の各色見本について、
前記色見本の初期パーセントドット値を識別する工程と、
色グループセットの各色グループに対する前記色見本の関連度を決定する工程と、
各初期パーセントドット値について、各色転写曲線の曲線調整値を決定する工程と、
各色転写曲線の前記曲線調整値を前記初期パーセントドット値に適用し、色補正パーセントドット値を生成する工程と、
前記初期パーセントドット値を前記色補正パーセントドット値で置換する工程と、
前記デジタル画像ファイル内のすべての色見本が処理されるまで、上記の工程を反復する工程と
を有する方法。
【請求項４９】
請求項４８記載の方法において、前記色転写曲線のセットを受信する工程は、選択された制御設定点における、７つの色補正係数調整値と、１つのグローバル色補正係数調整値とを受信する工程を有するものである。
【請求項５０】
請求項４８記載の方法において、前記７つの色補正係数調整値を受信する工程は、７つの色グループ、すなわち中間色と、シアンと、マゼンタと、黄色と、赤と、緑と、青とのそれぞれに関する色補正係数調整値を受信する工程を有するものである。
【請求項５１】
請求項４８記載の方法において、前記デジタル画像ファイルを受信する工程は、ベクトルグラフィックデジタル画像ファイルを受信する工程を有するものである。
【請求項５２】
請求項４８記載の方法において、前記デジタル画像ファイルを受信する工程は、複数の画素スタックを有した連続的な色調の画像を受信する工程を有するものである。
【請求項５３】
請求項５２記載の方法において、この方法は、さらに、
前記デジタル画像ファイル内の画素スタックデータを、８ビットコードからパーセントドット値に変換する工程を有するものである。
【請求項５４】
請求項４８記載の方法において、前記曲線調整値を決定する工程は、前記初期パーセントドット値に最も近い前記色転写曲線内の制御設定点から補間を行う工程を有するものである。
【請求項５５】
請求項４８記載の方法において、前記曲線調整値を決定する工程は、前記７つの色グループに対する前記関連度に従って前記曲線調整値を調節する工程を有するものである。
【請求項５６】
請求項４８記載の方法において、前記関連度を決定する工程は、前記７つの色グループに対する前記画素スタックの合計関連度を１００％に決定する工程を有するものである。
【請求項５７】
請求項４８記載の方法において、前記関連度を決定する工程は、前記色グループに対する当該関連度の決定から得られた明度属性をゼロにする工程を有するものである。
【請求項５８】
請求項４８記載の方法において、前記関連度を決定する工程は、前記７つの色グループに対する当該関連度の決定にＣＭＹ初期パーセントドット値を利用する工程を有するものである。
【請求項５９】
請求項４８記載の方法において、前記赤色グループに対する関連度を決定する工程は、シアン基底部をゼロに設定し、マゼンタ基底部および黄色基底部をそれぞれ１００％に設定する工程を有するものである。
【請求項６０】
請求項４８記載の方法において、前記黄色グループに対する関連度を決定する工程は、シアン基底部およびマゼンタ基底部をそれぞれゼロに設定し、黄色基底部を１００％に設定する工程を有するものである。
【請求項６１】
請求項４８記載の方法において、前記緑色グループに対する関連度を決定する工程は、シアン基底部および黄色基底部をそれぞれ１００％に設定し、マゼンタ基底部をゼロに設定する工程を有するものである。
【請求項６２】
請求項４８記載の方法において、前記シアン色グループに対する関連度を決定する工程は、シアン基底部を１００％に設定し、マゼンタ基底部および黄色基底部をそれぞれゼロに設定する工程を有するものである。
【請求項６３】
請求項４８記載の方法において、前記青色グループに対する関連度を決定する工程は、シアン基底部およびマゼンタ基底部をそれぞれ１００％に設定し、黄色基底部をゼロに設定する工程を有するものである。
【請求項６４】
請求項４８記載の方法において、前記マゼンタ色グループに対する関連度を決定する工程は、シアン基底部および黄色基底部をそれぞれゼロに設定し、マゼンタ基底部を１００％に設定する工程を有するものである。
【請求項６５】
請求項４８記載の方法において、前記中間色グループに対する関連度を決定する工程は、シアン基底部と、黄色基底部と、マゼンタ基底部とを１００％に設定する工程を有するものである。
【請求項６６】
請求項４８記載の方法において、この方法は、さらに、
装置間の色調整にこの方法を使用する工程を有するものである。
【請求項６７】
請求項４８記載の方法において、この方法は、さらに、
色画像のデジタル化にこの方法を使用する工程を有するものである。
【請求項６８】
請求項４８記載の方法において、この方法は、さらに、
デジタル化された色画像の編集にこの方法を使用する工程を有するものである。
【請求項６９】
請求項４８記載の方法において、この方法は、さらに、
前記色転写曲線のセットの前記曲線調整値を合計する工程と、
前記合計した曲線調整値を前記初期パーセントドット値に適用する工程と
を有するものである。
【請求項７０】
請求項４８記載の方法において、前記７つの色グループのそれぞれに対する前記画素スタックの関連度を決定する工程は、前記画素スタックの色相属性および彩度属性だけを効果的に使用し、前記画素スタックの明度属性の効果はゼロにするものである。
【請求項７１】
色変換を実行するため、符号化されたコンピュータ制御の方法を有するコンピュータ可読媒体であって、
複数の色転写曲線のセットを受信する工程と、
少なくとも１つの色見本を有するデジタル画像ファイルを受信する工程と、
前記デジタル画像ファイル内の各色見本について、
色グループセットの各色グループに対する前記色見本の関連度を決定する工程と、
前記色見本に関する複数の初期パーセントドット値を識別する工程と、
各初期パーセントドット値について、各色転写曲線の曲線調整値を決定する工程と、
前記曲線調整値を組み合わせ、その組み合わせた曲線調整値を前記初期パーセントドット値に適用し、色補正パーセントドット値を生成する工程と、
前記初期パーセントドット値を前記色補正パーセントドット値で置換する工程と、
前記デジタル画像ファイル内のすべての色見本が処理されるまで、上記の工程を反復する工程と
を有するコンピュータ可読媒体。
【請求項７２】
請求項７１記載のコンピュータ可読媒体において、前記色転写曲線のセットを受信する工程は、選択された制御設定点における、７つの色補正係数調整値と、１つのグローバル色補正係数調整値とを受信する工程を有するものである。
【請求項７３】
請求項７１記載のコンピュータ可読媒体において、前記曲線調整値を決定する工程は、前記初期パーセントドット値に最も近い前記色転写曲線内の制御設定点から補間を行う工程を有するものである。
【請求項７４】
請求項７１記載のコンピュータ可読媒体において、前記曲線調整値を決定する工程は、前記７つの色グループに対する前記関連度に従って前記曲線調整値を調節する工程を有するものである。
【請求項７５】
請求項７１記載のコンピュータ可読媒体において、前記曲線調整値を組み合わせる工程は、前記色転写曲線のセットの前記曲線調整値を合計する工程を有するものである。
【請求項７６】
請求項７１記載のコンピュータ可読媒体において、前記関連度を決定する工程は、前記７つの色グループに対する当該関連度の決定にＣＭＹ初期パーセントドット値を利用する工程を有するものである。
【発明の詳細な説明】
【背景技術】
【０００１】
従来、色再現システムでは、色材の特性と、再現システムの相違と、対象側の要件と、作業者および責任者の個人的な嗜好とを補うため、色変換方法が使用されている。色変換は、色画像のデジタル化と、色画像の編集と、装置間の色制御とを実施する上で使用することができる。「色分解のシステムフィードバックプログラミング」として知られている一般工程の最終的な課題である色変換には、統合的アプローチおよび成分的アプローチの２つの一般的アプローチがある（Ｇａｒｙ  Ｇ．Ｆｉｅｌｄ、Ｃｏｌｏｒ  &  Ｉｔｓ  Ｒｅｐｒｏｄｕｃｔｉｏｎ、改訂第２版、Ｇａｔｆ  Ｐｒｅｓｓ、Ｍａｒｃ  １、１９９８）。現在、装置間の色制御のための色変換で主流となっているアプローチは、統合的方法の方である。この統合的方法では、超立方体の色材座標と、結果として得られた色の見え方（カラーアピアランス）または予測した実際の色の見え方の比色測定値または数学的計算値とのペアを関連付けることにより、装置の特性を定義するルックアップテーブルを使用する。前記ルックアップテーブルは、色調（トーン）再現と、グレーバランスと、色相／彩度の特性補正とにおける前記システムの変数を表すデータを統合的に組み込んだものである。ただし、この統合的アプローチの主な難点は、再現システムが一度特徴付けられると前記ルックアップテーブルが固定されて容易に修正できなくなってしまい、さまざまな動的印刷条件の変化を表す新しい非統合データに対応できないことである。通常の商業印刷環境では、印刷条件の変動要因として、さまざまな光散乱効果特性を呈する日常的・経時的な用紙の変化、紙色の違い、完璧な色調再現仕様で作製された校正刷り、印刷装置周囲の室内条件の変化、印刷責任者の個人的な好みなどが考えられる。これらの条件が変化することで、一部の成分特性のみ変化する可能性があり、それらの成分特性は、さまざまな程度で変化するか、或いは異なる態様で変化する可能性がある。
【０００２】
前記統合的アプローチと異なり、前記成分的アプローチでは、色彩の専門家が、色再現システムの色調再現と、グレーバランスと、色相／彩度の特性または属性との一意性について、別個に補正を行うことができる。これまで、色画像のデジタル化および編集において高品質な色分解をもたらすには、前記成分的アプローチの方が変化に対応でき、拡張可能な方針であることが示されており、装置間の色制御に関する業界パフォーマンスは、このアプローチで大幅に改善できると見なすことが妥当である。
【発明の開示】
【課題を解決するための手段】
【０００３】
本明細書で使用する用語および頭字語は、次のように定義される。  
実際の色―視覚的に知覚でき、または計器により測定できる色の見本。  
同化累積調整（Ａｓｓｉｍｉｌａｔｅｄ  Ａｃｃｕｍｕｌａｔｅｄ  Ａｄｊｕｓｔｍｅｎｔ：ＡＡＡ）―７つのＭＣＡおよびグローバルＡＣＡの合計。  
適用可能な曲線調整（Ａｐｐｌｉｃａｂｌｅ  Ｃｕｒｖｅ  Ａｄｊｕｓｔｍｅｎｔ：ＡＣＡ）―画素値に関する曲線テーブルにより設定される絶対調整。  
共通性パーセント算出値（Ｃａｌｃｕｌａｔｅｄ  Ｐｅｒｃｅｎｔａｇｅｓ  ｏｆ  Ｋｉｎｓｈｉｐ：ＣＰＫ）―画素スタックの初期パーセントドット値が特定の色グループに対し有する関連度。  
色グループ―システム１０で使用される（各色グループ内で）内部的に連続し（色グループ間で）相互にブレンドする赤、黄色、緑、シアン、青、マゼンタ、中間色の領域など、任意の色モデルで定義された領域。ただし、色グループは、任意の色を基底部として使用し、定義することができる。  
概念的な色―超立方体色モデル上の位置で表される理論的な色で、その実際の色は、変数が無限数あることを条件とする。  
制御設定点（Ｃｏｎｔｒｏｌ  Ｓｅｔ  Ｐｏｉｎｔ：ＣＳＰ）―明度値の全範囲にわたり選択された臨界点。  
色相―標準的な超立方体色モデルに関連し、この属性は、黒と白の頂点に無関係に、前記超立方体色モデルの基底部頂点に対する、画素スタックの色材座標の近接性（近さ）を指す。  
初期パーセントドット値（Ｉｎｉｔｉａｌ  Ｐｅｒｃｅｎｔ  Ｄｏｔ  Ｖａｌｕｅ：ＩＰＤＶ）―デジタル画像ファイル内の４チャネル（シアン、マゼンタ、黄色、黒）画素スタックの、相互にオーバーラップした画素に対応する初期（変換前）のドットパーセントまたは８ビット値。  
装置間の色制御―多色再現システム上で実際の色のマッチングを行うために必要な色管理で、それぞれ明確な色印刷特性を伴う（校正刷り装置と市販の生産用印刷システムとの間など）。
【０００４】
明度―標準的な超立方体色モデルと関連して、この属性は、白色頂点の基底部頂点に対する、画素スタックの近接性を指す。各色グループの基底部頂点は、中間色グループの黒色頂点が明度ゼロと見なされること、及び白色頂点が明度１００％と見なされることを除き、明度ゼロと見なされる。
【０００５】
修正曲線調整（Ｍｏｄｉｆｉｅｄ  Ｃｕｒｖｅ  Ａｄｊｕｓｔｍｅｎｔ：ＭＣＡ）―ＡＣＡとＣＰＫとを乗算して算出される値（ＡＣＡ＊ＣＰＫ）。
【０００６】
パーセントドット値色補正係数（Ｐｅｒｃｅｎｔ  Ｄｏｔ  Ｖａｌｕｅ  Ｃｏｌｏｒ  Ｃｏｒｒｅｃｔｉｏｎ  Ｆａｃｔｏｒ、ＰＤＣＣＦ）―印刷用途のためのパーセントドットでの色補正調整値。
【０００７】
画素スタック―４つの色チャネル（シアン、マゼンタ、黄色、および黒）を有した、デジタル画像ファイルに含まれる画素の概念的な色。
【０００８】
彩度―標準的な超立方体色モデルと関連して、この属性は、中間色グループに対する、画素スタックの近似を指す。中間色グループに１００％近接した画素スタックは、彩度ゼロと見なされる。中間色グループ以外の色グループに１００％近接した画素スタックは、彩度１００％と見なされる。
【０００９】
図１は、色画像処理変換１０のシステムおよび方法の一実施形態の簡略ブロック図である。色画像処理変換システム１０は、デジタル画像ファイル１２および色補正係数調整１４を承認して、色変換済みデジタル画像ファイル１６を生成する。色補正係数調整１４は、シアン（Ｃ）、マゼンタ（Ｍ）、黄色（Ｙ）、赤（Ｒ）、緑（Ｇ）、青（Ｂ）、および中間色を含む７つの色グループから選択されたものに対し行える調整である。追加で適用できる色補正係数調整の１つは、グローバル係数調整値である。色補正係数調整は、入力色調値を出力色調値にマップする転写曲線上の点として考えることができる。補正係数調整１４は、諸用途、より具体的には校正刷り装置および生産用印刷装置の間など装置間の色制御に関する用途において、パーセントドット色補正係数（Ｐｅｒｃｅｎｔ  Ｄｏｔ  Ｃｏｌｏｒ  Ｃｏｒｒｅｃｔｉｏｎ  Ｆａｃｔｏｒｓ：ＰＤＣＣＦ）として表現できる。ＰＤＣＣＦと、ＰＤＣＣＦを生成するための色管理処理システム１８およびその生成方法とは、米国特許第６，７２５，７７２号、米国特許出願第２００３／０１５６２９９号、および米国特許出願第２００３／００５８４６２号（すべて本発明の出願人であるＡｃｋｌｅｙ  Ｍａｒｔｉｎｅｚ  Ｃｏｍｐａｎｙ  ｄｂａ  ＭＧＩ  Ｓｔｕｄｉｏに譲渡されたもので、これらはこの参照により本明細書に組み込むものとする）に、より詳しく説明されている。色管理処理システム１８は、入力として、印刷装置プロファイル２０と、校正刷り装置プロファイル２２と、他の印刷変数２４とを受信し、前記ＰＤＣＣＦ  １４を生成する。色管理処理システム１８は、色補正係数調整１４のソースのわずか一例であるため、図１にはファントムとして示した。
【００１０】
装置間の色調整に加え、システム１０は、色画像のデジタル化およびデジタル化した色画像の編集にも使用できる。この色画像処理変換システムおよび本明細書で説明する方法では、対応する画素値と、多重チャネルでデジタル化した画像ファイルの画素スタックとの間のインタラクションを考慮して、多次元変換および１次元グローバル変換を各画素に適用する。１次元変換では、前記超立方体の色材座標値すべてに対し、前記グローバル係数調整が無条件に適用される。多次元変換では、前記色補正により指定された画素スタックの前記色グループに対する共通性または近接性に従って前記色補正または前記調整が行われる。これは、図３に示した標準的な超立方体色モデル３０と、図４に概念的に表した例外的な超立方体色モデル７０とを参照すると、よりうまく説明することができる。
【００１１】
図３に示すように、超立方体色モデル３０は標準的な４次元モデルで、達成可能かつ概念的な色の各々が３つの値からなる座標位置を占め、この超立方体色モデル３０の各頂点が（各色グループ内で）内部的に連続し（色グループ間で）相互にブレンドする７つの色グループ（シアン３１、マゼンタ３２、黄色３３、赤３４、緑３５、青３６）の基底部位置を占め、中間色グループは黒頂点３８および白頂点３９の対角線３７で表される。シアン、マゼンタ、および黄色は７つの色グループのうちの３つであることに加え、一次色（原色）としても見なされ、その成分値は、この超立方体色モデルを作成する前記３つの値からなる座標位置に等しく、他の４つの色グループは、シアン、マゼンタ、および黄色の組み合わせである。達成可能かつ概念的な各色の３つの座標値を使うと、３つの色属性である色相、彩度、および明度を計算することができる。明度係数は、この超立方体の第４の次元を表す。システム１０を説明するため、この色モデル３０は、８ビットコードの画素値（０〜２５５）または表面積カバー率パーセント（１００〜０）で構成されたものとして視覚化でき、これは８ビットで定義されたデジタル画像に表示される前記達成可能かつ概念的な色を表している。この色座標系の任意の点は、１つ、２つ、または３つの（ただし、３つを越えない）色グループと関連している。任意色の補正は、その色が関連している各色グループの色補正係数調整値を、その関連度に正比例して適用することにより行われる。各色グループに対する関連度を合計すると１００％になり、これは転写曲線または色補正係数調整値の効果の１００％が色変換に適用されることを意味する。この超立方体の色材座標値は、表面積カバー率パーセントおよび／または８ビットの画素深度データで定義されるが、ＶＣＭＹ色密度値で表すことのできる、全印刷装置で結果的に得られる実際の色とは独立した固定値と見なされる。ここでＶは主に黒色インク色を記述するために使われる無彩（グレー）値に変換された色の記述、Ｃはシアンインク色の補色である、色スペクトルにおける赤の波長領域の記述、Ｍはマゼンタインク色の補色である、色スペクトルにおける緑の波長領域の記述、そしてＹは黄色インク色の補色である、色スペクトルにおける青の波長領域の記述である。
【００１２】
図４は、システム１０のうち特殊な目的を有した概念である例外的な超立方体色モデル７０を表したものである。この例外的状況は、通常どおり８ビット値により定義された座標値が、従来の色理論で一般的である表面積カバー率パーセントに変換されない場合があることにより生じたものである。また、前記第４の次元である明度は、例外的な超立方体色モデル７０ではゼロにされる。この例外的な超立方体色モデル７０を使うと、シアン（Ｃ）、マゼンタ（Ｍ）、黄色（Ｙ）、赤（Ｒ）、緑（Ｇ）、青（Ｂ）、および中間色を含む（各色グループ内で）内部的に連続し（色グループ間で）相互にブレンドする７つの色グループ間の関係を、視覚的に表すことが可能になる。この例外的な超立方体色モデル７０では、シアン色グループの基底部位置が頂点７１を占め、マゼンタ色グループの基底部位置が頂点７２を占め、黄色グループの基底部位置が頂点７３を占め、赤色グループの基底部位置が頂点７４を占め、緑色グループの基底部位置が頂点７５を占め、青色グループの基底部位置が頂点７６を占め、中間色グループの基底部位置については、黒が頂点７８を占め、白が頂点７９を占める。
【００１３】
図３および図４の双方を参照すると、前記色グループにおける前記基底部位置の座標値は、次のように定義される。
【００１４】
【表１】
2008527858.tif 000003
【００１５】
表Ａは、色基底部および色グループ軸の最大強度パーセントを示したものである。上記の表から、以下で説明する前記共通性パーセント算出値（ＣＰＫ）の式の基底部が確立される。中間色グループの場合は、シアン基底部とマゼンタ基底部と黄色基底部とが１００％に設定され、赤色グループの場合は、シアン基底部がゼロで、マゼンタ基底部および黄色基底部がそれぞれ１００％に設定され、黄色グループの場合は、シアン基底部およびマゼンタ基底部がそれぞれ０％に設定され、黄色基底部が１００％に設定され、緑色グループの場合は、シアン基底部および黄色基底部がそれぞれ１００％に設定され、マゼンタ基底部がゼロに設定され、シアン色グループの場合は、シアン基底部が１００％に設定され、マゼンタ基底部および黄色基底部がそれぞれゼロに設定され、青色グループの場合は、シアン基底部およびマゼンタ基底部がそれぞれ１００％に設定され、黄色基底部がゼロに設定され、マゼンタ色グループの場合は、シアン基底部および黄色基底部がそれぞれゼロに設定され、マゼンタ基底部が１００％に設定される。色グループに対する画素の共通性の計算に関する詳細は、以下で説明する。
【００１６】
色グループ軸も、例外的な超立方体モデル７０で定義されている。この例外的な超立方体色モデル７０において、色グループ軸とは、その色グループの最大強度値（その色の基底部）と白の基底部とをつなぐ仮想的な線である。シアン軸８１は、シアン基底部７１と白基底部７９との間にわたり、マゼンタ軸８２は、マゼンタ基底部７２と白基底部７９との間にわたり、黄色軸８３は、黄色基底部７３と白基底部７９との間にわたり、赤軸８４は、赤基底部７４と白基底部７９との間にわたり、緑軸８５は、緑基底部７５と白基底部７９との間にわたり、青軸８６は、青基底部７６と白基底部７９との間にわたり、中間色軸８８は、中間色基底部７８と白基底部７９との間にわたる。この例外的な超立方体色モデル７０は、図３の標準的な超立方体上の各位置について、７つの色グループのそれぞれに対する関連度を決定する関数の実行時に参照される。この概念において、例外的な超立方体色モデル７０は、標準的な８ビット座標での概念的な色の最大強度パーセント値だけを有し、白である（０，０，０）＝（Ｃ，Ｍ，Ｙパーセント）を除き、概念的な各色のゼロ明度属性について予測される記述を表す。前記７つの色グループ、すなわち中間色（黒）、シアン、マゼンタ、黄色、赤、青、緑は、個々には内部的に連続しながら集合的には相互にブレンドする領域であり続け、これらの領域により本モデルは途切れなくデータ投入される。この例外的な超立方体モデル７０の文脈において、用語「最大強度」は、上記表ＡのようにＣ成分、Ｍ成分、Ｙ成分のうち少なくとも１つが１００％であることを意味する。以下の表Ｂは、この例外的な超立方体色モデル７０をさらに説明したものである。
【００１７】
【表２】
2008527858.tif 000004
【００１８】
表Ｂの値は、各色グループ軸の、白基底部７９に隣接した最後の８ビット位置を表している。
【００１９】
図２は、色画像処理変換の方法の一実施形態のフローチャートである。工程４０では、８セットの色補正係数調整または転写曲線が受信される。これらの８セットの色補正係数調整値は絶対調整値であり、チャネルインタラクション感受性をサポートする計算に基づいた７つの色グループの各々に１つずつ、それに、チャネルインタラクション感受性をサポートする計算には基づいていないグローバル係数調整値が１つ加わったものである。これらの曲線セットは、０、５、１０、２５、５０、７５、９０、および１００などの選択された制御設定点（ＣＳＰ）で定義される。例示的な仮想色補正係数調整値を、以下の表Ｃ〜Ｊに示す。
【００２０】
【表３】
2008527858.tif 000005
【００２１】
【表４】
2008527858.tif 000006
【００２２】
【表５】
2008527858.tif 000007
【００２３】
【表６】
2008527858.tif 000008
【００２４】
【表７】
2008527858.tif 000009
【００２５】
【表８】
2008527858.tif 000010
【００２６】
【表９】
2008527858.tif 000011
【００２７】
【表１０】
2008527858.tif 000012
【００２８】
表Ｃ〜ＪのＣＳＰ％は、明度値の全範囲にわたり選択された臨界点である制御設定点を表している。本明細書で、デジタル化した画像ファイルについて行われた色補正係数調整の計算は、色の明度属性に影響されない。すなわち、画素スタックのＩＰＤＶが、明度属性にかかわらず、色補正係数調整の最大値に補正されるよう、色相属性および彩度属性だけが考慮される。
【００２９】
工程４２では、デジタル画像ファイル１２も受信される。デジタル画像ファイル１２（図１）は、画像を表すデジタルデータを含んだファイルである。その画像は、写真であっても、スキャンされたデジタル画像であっても、ソフトウェアアプリケーションで作製された芸術的表現であっても、他のいかなる画像であってもよい。通常、このデジタル画像ファイルには、概念的な各色について８ビットのコードが含まれる。このファイルにより生成される実際の色は、選択された色プリプロダクションシステム、すなわち印刷装置の再現特性により非常に複雑に決定されるため、記述される色は概念的なものと見なされる。変換は、前記８ビットコードをパーセントドット値に変換するため行われる。この８ビットからパーセントドット変換にはルックアップテーブルを使うことができ、この場合、例えば８ビットコードでの値２５５はパーセントドット値０．００に変換され、８ビットコードでの値２４２はパーセントドット値５．１０に変換され、８ビットコードでの値１９１はパーセントドット値２５．１０に変換され、８ビットコードでの値１２８はパーセントドット値４９．８０に変換され、８ビットコードでの値６４はパーセントドット値７４．９０に変換され、８ビットコードでの値２７はパーセントドット値８９．４１に変換され、８ビットコードでの値０はパーセントドット値１００．００に変換される。前記８ビットコードをパーセントドット値に変換するための式は、次のとおりである。
【００３０】
【化１】
2008527858.tif 000013
【００３１】
このパーセントドット値は、小数点以下１３桁まで計算され、上記に記載した値は、単に例示的に小数点以下２桁に切り捨てたものである。システム１０は、ＣＭＹやＲＧＢなど、ＣＭＹＫ以外の形式でデジタル画像ファイル１２を受信するようできる。
【００３２】
工程４４では、画像ファイルの第１の画素スタックの前記初期パーセントドット値（ＩＰＤＶ）が処理用に選択され、ここで各画素スタックは４つの色チャネル（ＣＭＹＫ）から成る。用語「初期パーセントドット値」（略称ＩＰＤＶ）は、デジタル画像ファイル内の４チャネル（シアン、マゼンタ、黄色、黒）画素スタックの、相互にオーバーラップした画素に対応する初期（色補正変換前）のドットパーセントまたは８ビット値として定義される。工程４６では、内部的に連続し相互にブレンドする７つの色グループ（中間色、赤、青、緑、シアン、黄色、マゼンタ）それぞれについて、超立方体色材値の共通性パーセント算出値（ＣＰＫ）が決定される。換言すると、現在の画素スタックについて、１つ以上３つまでの色グループに対する関連度が決定される。図２で概念的かつ実用的に説明したアルゴリズム固有の特徴により、この超立方体色モデルは、個々には内部的に連続し集合的には相互にブレンドする領域すなわち色グループ（中間色、シアン、マゼンタ、黄色、赤、青、緑）へと細分化され、これらの領域または色グループによりモデルは継ぎ目なくデータ投入される。これにより、色転写曲線による補正係数絶対調整の精確なかみ合わせが適用できるようになる。前記転写曲線は、各色グループに関するＣＭＹＫの１セットである。その実用的な効果は、装置間の色制御、画像デジタル化、および画像編集のタスクを実施する際、利用者が所望する色変換を精確に達成する新たな強靭性である。例えば、システム１０は、７つの色グループについて単純な計算で構築された転写曲線セットを適用する能力を有し、これにより典型的なＣＭＹデジタル画像の（０，０，０＝Ｃ，Ｍ，Ｙパーセントを超える）任意およびすべての画素値は、目標である５０％値（または他の任意の目標パーセント値）へと予測可能に変換される。実環境で利用される可能性は低いが、この特異な能力を実証することにより、色モデル全体を精確かつスムーズに包含するよう７つの色グループ転写曲線を連結し組み合わせて適用可能にするシステム１０のアルゴリズム能力を示すことができる。このＣＰＫ計算工程において、計算は、１単位と見なされた現在の画素スタックの４つのＩＰＤＶ（Ｃ、Ｍ、Ｙ）のうち３つを利用して行われる。Ｋの値は当該計算において事実上使用されないが、これは、色見本に含まれる黒色材は、色に対し理論上（実環境では実質的に）等量のＶＣＭＹ密度を寄与するため自己相殺するという論理に基づいている。このＣＰＫ計算の例示的なアルゴリズムは次のとおりである。
【００３３】
１．ＣｙＣｕｒ、ＭａＣｕｒ、およびＹｅＣｕｒを、現在のＣ、Ｍ、およびＹのＩＰＤＶに設定する。  
２．ＨｉｇｈＢａｓを１００に設定する。  
３．ＨｉｇｈＣｕｒをセット（ＣｙＣｕｒ，ＭａＣｕｒ，ＹｅＣｕｒ）の最大値に設定し、ＭｉｄＣｕｒをセット（ＣｙＣｕｒ，ＭａＣｕｒ，ＹｅＣｕｒ）の中間値に設定し、ＬｏｗＣｕｒをセット（ＣｙＣｕｒ，ＭａＣｕｒ，ＹｅＣｕｒ）の最小値に設定する。ここで、ＣｙＣｕｒはシアンのＩＰＤＶ、ＭａＣｕｒはマゼンタのＩＰＤＶ、ＹｅＣｕｒは黄色のＩＰＤＶである。  
４．Ｇｅｎｅｒａｌ  Ｓｔｅｐ  Ｐｒｏｄｕｃｔ（Ｇｓｐ＝ＨｉｇｈＢａｓ／ＨｉｇｈＣｕｒ）を計算する。
【００３４】
上記の一般計算後、中間色グループのＣＰＫが次のように決定される。
【００３５】
１．ＣｙＢａｓ＝１００、ＭａＢａｓ＝１００、ＹｅＢａｓ＝１００と設定する。  
２．Ｓ１Ｐ＝（ＬｏｗＣｕｒ＊Ｇｓｐ）／ＨｉｇｈＢａｓを計算する。  
３．Ｓ２Ｐ＝（（（ＨｉｇｈＢａｓ−（ＭｉｄＣｕｒ＊Ｇｓｐ））／１００）＋１）＊Ｓ１Ｐを計算する。  
４．中間色のＣＰＫ＝Ｓ２Ｐ＊１００を計算する。
【００３６】
ＣｙＢａｓ＝１００、ＭａＢａｓ＝１００、ＹｅＢａｓ＝１００であるため、この計算では変数ＨｉｇｈＢａｓが使われる。
【００３７】
次の例示的アルゴリズムは、赤、緑、および青の色グループのＣＰＫを決定する際に使用できる。
【００３８】
１．上記の一般計算後、計算中の色グループがどれかに応じ、以下の変数値を設定する。  
赤：
ＣｙＢａｓ＝０
ＭａＢａｓ＝１００
ＹｅＢａｓ＝１００
ＬｏｗＣｕｒＣｗｈ＝セット（ＭａＣｕｒ，ＹｅＣｕｒ）の最小値
ＨｉｇｈＣｕｒＣｗｈ＝セット（ＭａＣｕｒ，ＹｅＣｕｒ）の最大値
ＣｕｒＣｗｌ＝ＣｙＣｕｒ、なぜならＣｙＢａｓ＝０
緑：
ＣｙＢａｓ＝１００
ＭａＢａｓ＝０
ＹｅＢａｓ＝１００
ＬｏｗＣｕｒＣｗｈ＝セット（ＣｙＣｕｒ，ＹｅＣｕｒ）の最小値
ＨｉｇｈＣｕｒＣｗｈ＝セット（ＣｙＣｕｒ，ＹｅＣｕｒ）の最大値
ＣｕｒＣｗｌ＝ＭａＣｕｒ、なぜならＭａＢａｓ＝０
青：
ＣｙＢａｓ＝１００
ＭａＢａｓ＝１００
ＹｅＢａｓ＝０
ＬｏｗＣｕｒＣｗｈ＝セット（ＣｙＣｕｒ，ＭａＣｕｒ）の最小値
ＨｉｇｈＣｕｒＣｗｈ＝セット（ＣｙＣｕｒ，ＭａＣｕｒ）の最大値
ＣｕｒＣｗｌ＝ＹｅＣｕｒ、なぜならＹｅＢａｓ＝０
２．Ｓ１Ｐ＝（ＨｉｇｈＣｕｒＣｗｈ＊Ｇｓｐ）／ＨｉｇｈＢａｓを計算する。  
３．Ｓ２Ｐ＝ＨｉｇｈＢａｓ／（ＨｉｇｈＣｕｒＣｗｈ＊Ｇｓｐ）を計算し、Ｓ２Ｐ>１００なら、Ｓ２Ｐを１００に設定する。  
４．中間値Ｓ３Ｐ＝（（ＬｏｗＣｕｒＣｗｈ＊Ｇｓｐ）−（ＨｇｈＣｕｒＣｗｈ＊Ｇｓｐ））＊Ｓ２Ｐの絶対値を計算し、Ｓ３Ｐ>１００なら、Ｓ３Ｐを１００に設定する。  
５．最終値Ｓ３Ｐ＝（１−（Ｓ３Ｐ／１００））＊Ｓ１Ｐを計算する。  
６．第１の中間値Ｓ４Ｐ＝（ＨｉｇｈＣｕｒＣｗｈ＊Ｇｓｐ）／（ＬｏｗＣｕｒＣｗｈ＊Ｇｓｐ）を計算する。Ｓ４Ｐ<０．４０なら、Ｓ４Ｐを０．４０に設定する。  
７．第２の中間値Ｓ４Ｐ＝Ｓ４Ｐ＊（ＣｕｒＣｗｌ＊Ｇｓｐ）＊Ｓ２Ｐを計算する。Ｓ４Ｐ>１００なら、Ｓ４Ｐを１００に設定する。  
８．最終値Ｓ４Ｐ＝（１−（Ｓ４Ｐ／１００））＊Ｓ３Ｐを計算する。  
９．赤、緑、または青のＣＰＫ＝Ｓ４Ｐ＊１００を計算する。
【００３９】
次の例示的アルゴリズムは、シアン、マゼンタ、および黄色の色グループのＣＰＫを決定する際に使用できる。
【００４０】
１．上記の一般計算後、計算中の色グループがどれかに応じ、以下の変数値を設定する。  
シアン：
ＣｙＢａｓ＝１００
ＭａＢａｓ＝０
ＹｅＢａｓ＝０
ＬｏｗＣｕｒＣｗｌ＝セット（ＭａＣｕｒ，ＹｅＣｕｒ）の最小値
ＨｉｇｈＣｕｒＣｗｌ＝セット（ＭａＣｕｒ，ＹｅＣｕｒ）の最大値
ＣｕｒＣｗｈ＝ＣｙＣｕｒ、なぜならＣｙＢａｓ＝１００
マゼンタ：
ＣｙＢａｓ＝０
ＭａＢａｓ＝１００
ＹｅＢａｓ＝０
ＬｏｗＣｕｒＣｗｌ＝セット（ＣｙＣｕｒ，ＹｅＣｕｒ）の最小値
ＨｉｇｈＣｕｒＣｗｌ＝セット（ＣｙＣｕｒ，ＹｅＣｕｒ）の最大値
ＣｕｒＣｗｈ＝ＭａＣｕｒ、なぜならＭａＢａｓ＝１００
黄色：
ＣｙＢａｓ＝０
ＭａＢａｓ＝０
ＹｅＢａｓ＝１００
ＬｏｗＣｕｒＣｗｌ＝セット（ＣｙＣｕｒ，ＭａＣｕｒ）の最小値
ＨｉｇｈＣｕｒＣｗｌ＝セット（ＣｙＣｕｒ，ＭａＣｕｒ）の最大値
ＣｕｒＣｗｈ＝ＹｅＣｕｒ、なぜならＹｅＢａｓ＝１００
２．Ｓ１Ｐ＝（ＣｕｒＣｗｈ＊Ｇｓｐ）／ＨｉｇｈＢａｓを計算する。  
３．Ｓ２Ｐ＝ＨｉｇｈＢａｓ／（ＣｕｒＣｗｈ＊Ｇｓｐ）を計算し、Ｓ２Ｐ>１００なら、Ｓ２Ｐを１００に設定する。  
４．Ｓ３Ｐ＝ＨｉｇｈＣｕｒＣｗｌ＊Ｇｓｐ＊Ｓ２Ｐを計算し、Ｓ３Ｐ>１００なら、Ｓ３Ｐを１００に設定する。  
５．中間値Ｓ３Ｐ＝（１−（Ｓ３Ｐ／１００））＊Ｓ１Ｐを計算する。  
６．中間値Ｓ４Ｐ＝ＬｏｗＣｕｒＣｗｌ＊Ｇｓｐ＊Ｓ２Ｐを計算し、Ｓ４Ｐ>１００なら、Ｓ４Ｐを１００に設定する。  
７．最終値Ｓ４Ｐ＝（１−（Ｓ４Ｐ／１００））＊Ｓ３Ｐを計算する。  
８．シアン、マゼンタ、または黄色のＣＰＫ＝Ｓ４Ｐ＊１００を計算する。  
上述した変数は、次のように定義される。ＣｙＣｕｒはシアンのＩＰＤＶ、ＭａＣｕｒはマゼンタのＩＰＤＶ、ＹｅＣｕｒは黄色のＩＰＤＶ、ＨｉｇｈＣｕｒはセット（ＣｙＣｕｒ，ＭａＣｕｒ，ＹｅＣｕｒ）の最大値、ＭｉｄＣｕｒはセット（ＣｙＣｕｒ，ＭａＣｕｒ，ＹｅＣｕｒ）の中間値、ＬｏｗＣｕｒはセット（ＣｙＣｕｒ，ＭａＣｕｒ，ＹｅＣｕｒ）の最小値、ＣｙＢａｓは計算中の色グループに応じてゼロまたは１００に設定されたシアン基底部、ＭａＢａｓは計算中の色グループに応じてゼロまたは１００に設定されたマゼンタ基底部、ＹｅＢａｓは計算中の色グループに応じてゼロまたは１００に設定された黄色基底部、ＨｉｇｈＢａｓは常に１００に設定される高基底部。
【００４１】
次の諸変数は、赤、緑、および青の色グループの計算に使用される。ＬｏｗＣｕｒＣｗｈは、赤色グループの場合マゼンタおよび黄色、緑色グループの場合シアンおよび黄色、または青色グループの場合シアンおよびマゼンタの２つの現ＩＰＤＶ値のうち小さいほうの値、ＨｉｇｈＣｕｒＣｗｈは、赤色グループの場合マゼンタおよび黄色、緑色グループの場合シアンおよび黄色、または青色グループの場合シアンおよびマゼンタの２つの現パーセントドット値の２つの現ＩＰＤＶ値のうち大きいほうの値、ＣｕｒＣｗｌは、赤色グループ計算の場合現在のシアンＩＰＤＶ値、緑色グループ計算の場合現在のマゼンタＩＰＤＶ値、または青色グループ計算の場合現在の黄色ＩＰＤＶ値である。
【００４２】
次の諸変数は、シアン、マゼンタ、および黄色の色グループの計算に使用される。ＬｏｗＣｕｒＣｗｌは、シアン色グループの場合マゼンタおよび黄色、マゼンタ色グループの場合シアンおよび黄色、または黄色グループの場合シアンおよびマゼンタの２つの現ＩＰＤＶ値のうち小さいほうの値、ＨｉｇｈＣｕｒＣｗｌは、シアン色グループの場合マゼンタおよび黄色、マゼンタ色グループの場合シアンおよび黄色、または黄色グループの場合シアンおよびマゼンタの２つの現ＩＰＤＶ値のうち大きいほうの値、ＣｕｒＣｗｈは、シアン色グループ計算の場合現在のシアンＩＰＤＶ値、マゼンタ色グループ計算の場合現在のマゼンタＩＰＤＶ値、または黄色グループ計算の場合現在の黄色ＩＰＤＶ値である。
【００４３】
また、工程４６では、各ＩＰＤＶの色グループに対するＣＰＫが計算される。概念的な色は、１つ、２つ、または３つの色グループと関係し、またはそれとの関連性を有し、前記１つ、２つ、または３つの色グループとの関連性パーセントを合計すると１００％になる。色画像変換において適用する色補正は特定の色グループに対する概念的な色の関連性または共通性に基づき、その色グループとの関連性の度合いに正比例して行われる。上記のとおり、明度の属性はこの色補正工程に影響を及ぼさず、この補正に入力されない。例えば、ＩＰＤＶ（Ｃ，Ｍ，Ｙ，Ｋ）＝（０，５，５，０）を有する色は非常に薄い赤である。ＩＰＤＶ（Ｃ，Ｍ，Ｙ，Ｋ）＝（０，１００，１００，０）を有する色は非常に強い赤である。従来の色変換システムおよび方法であれば、前記第１の赤色および前記第２の赤色は、それぞれ例えば従来の転写曲線の絶対調整の５％および１００％に補正される。しかし、システム１０の色補正または色変換では、上記どちらの赤色も従来の転写曲線の絶対調整の最大値に補正される。これは、どちらの色についても赤色グループに対するＣＰＫが等しい、すなわち１００％であるためである。例示的なＣＭＹＫ値に関するＣＰＫ値の付加的な例は、以下の表Ｋに示した。
【００４４】
【表１１】
2008527858.tif 000014
【００４５】
工程４８では、各ＩＰＤＶについて、前記７つの色グループに関する前記適用可能な曲線調整（ＡＣＡ）の値と、前記グローバルな値とが決定される。現在のＩＰＤＶに最も近い２つの制御設定点（ＬｏｗＣＳＰおよびＨｉｇｈＣＳＰ）が決定されると、次式によりＡＣＡが計算される。
【００４６】
【化２】
2008527858.tif 000015
【００４７】
ここで、ＣｕｒｒＩＰＤＶは現在のＩＰＤＶ、ＬｏｗＣＳＰは前記現在のＩＰＤＶに最も近い小さいほうの制御設定点、ＨｉｇｈＣＳＰは前記現在のＩＰＤＶに最も近い大きいほうの制御設定点、ＬｏｗＣＳＰＡｂｓＡｄｊは前記ＬｏｗＣＳＰにおける色補正係数調整値、ＨｉｇｈＣＳＰＡｂｓＡｄｊは前記ＨｉｇｈＣＳＰにおける色補正係数調整値である。本質的に、この工程は、補間に必要な調整値を、最も近い２つの制御設定点から取得するため、線形補間を行うものである。
【００４８】
工程５０では、各ＩＰＤＶについて、前記７つの色グループに関する前記修正曲線調整（ＭＣＡ）の値が決定される。このＭＣＡは、工程４８で決定される適用可能な曲線調整に、工程４６で決定される共通性パーセント算出値を乗じて得られる（ＡＣＡ＊ＣＰＫ）。このように、結果として得られる曲線調整には、各色グループに対する関連度が考慮される。ＭＣＡは、チャネルインタラクション効果に関係なく算出される１次元調整値であるため、グローバルな曲線セットについては計算されない。言い換えると、このグローバル曲線セットにおいて、ＣＰＫは常に１００％と見なされる。工程５２では、各色グループから１つずつの７つのＭＣＡと、１つのグローバルＡＣＡとを合計することにより、前記同化累積調整（ＡＡＡ）が決定される。工程５４では、ＩＰＤＶに前記調整値を適用することにより、最終的な調整パーセントドット値が計算される。工程５０〜５４は次のようにまとめることができる。
【００４９】
【化３】
2008527858.tif 000016
【００５０】
すべての有効な補正係数絶対調整は、１次元または多次元の値であり、ＩＰＤＶにまとめて一度に適用されることにより、補正係数をシーケンシャルに適用するより本工程を効率的にしているように見られるであろう。従来の色変換に対するこの効率の向上は、主に概念的な色の明度属性効果をゼロにするシステム１０のアルゴリズムにより実現されている。工程５６では、デジタル画像ファイルに含まれる画素スタックにおいて、現在のＩＰＤＶが、前記最終的な調整ＰＤＶの算出値により置換される。工程５８では、工程５８へループして戻ることにより、前記画素スタックの次のＩＰＤＶが上記と同じ態様で色補正される。現在の画素スタックについて４つのＩＰＤＶがすべて色補正されると、工程４４へループして戻ることにより、当該デジタル画像ファイルに含まれるすべての画素スタックが色補正され終わるまで、デジタル画像ファイルの次の画素スタックが同様に処理される。工程４６〜５６で実行される計算に関する例示的な値を、次の表Ｌに示す。
【００５１】
【表１２】
2008527858.tif 000017
【００５２】
色変換すべきデジタル画像ファイル１２は、ビットマップ画像やラスタ画像など連続的な色調の画像、ベクトルグラフィック画像ファイル、または双方の組み合わせである可能性がある。ベクトルグラフィックファイルでは、命令は、点Ａから点Ｂに青い線を描くなど、画像を描くために与えられる。そのような場合、本明細書で説明する工程は、フォアグラウンドおよびバックグラウンドの色を色補正し、色補正された色を使って描画するため使用される。したがって、上記のように画素スタックを順次扱う代わり、本明細書の工程では、前記フォアグラウンドおよびバックグラウンドの色命令およびベクトル命令を順次扱ってベクトル命令中の色を補正する。
【００５３】
上記の方法は、色補正または色変換の成分的アプローチを可能にする。また、色再現システムにおいて、多数の可変印刷条件に影響される色調再現、グレーバランス、および色相／彩度特性について、単離され統合されていない特質の一意性に関する色補正を可能にする。色相および彩度の補正は、Ｃ、Ｍ、Ｙ、Ｒ、Ｇ、Ｂの色グループセットの転写曲線により可能になり、グレーバランス補正は、中間色グループセットの転写曲線により可能になり、色調再現補正は、グローバルセットの転写曲線により可能になる。上記のシステムおよび方法を使うと、前記色補正係数を適用して、高度に熟練した作業者のサービスを必要とすることなく、画像ファイルを正確および効率的にデジタル化することができる。この成分的アプローチは、印刷条件を変更する場合、前記統合的アプローチより柔軟で対応性が高い。例えば、この成分的アプローチは、さまざまな光散乱効果特性を呈する異なる用紙、紙色の違い、完璧な色調再現仕様で作製された校正刷り、最終段階での主観的な個人的好みの変化、印刷装置周囲の室内条件の変化に適合させることができる。本システムおよび本方法は、主に装置間の色制御の作業に適用されるものとして設計されており、デジタル化された色画像の編集および色画像のデジタル化の作業に適用されるようなっている。本明細書で説明する色変換は、前記色グループとの共通度または関連度に正比例して実施される。したがって、ただ１つの色グループと関連した色は、そのＣＰＫが１００％であることから、その色グループの最大の色補正係数絶対調整値のみにより補正される。２つの色グループと関連した色は、その２つの色グループの係数調整値により、各色グループとの共通度に正比例して色補正される。最後に、３つの色グループと関連した色は、その３つの色グループの係数調整値により、各色グループとの共通度に正比例して色補正される。色は、３つより多くの色グループと関連することはできない。
【図面の簡単な説明】
【００５４】
【図１】図１は、色画像処理変換のシステムおよび方法の一実施形態の簡略ブロック図である。
【図２】図２は、色画像処理変換の方法の一実施形態のフローチャートである。
【図３】図３は、超立方体色モデルの概念図である。
【図４】図４は、システム１０のうち特殊な目的を有した概念である例外的な超立方体色モデルを表したものである。
【図１】
2008527858.tif 000018
【図２】
2008527858.tif 000019
【図３】
2008527858.tif 000020
【図４】
2008527858.tif 000021
【国際調査報告】
2008527858.tif 000022
2008527858.tif 000023